(57)【要約】      （修正有）【課題】単独クッション部が着用者の足の経穴「涌泉」に当接し、疲労回復、足の冷え、不眠などの効果を有する経穴刺激のフットカバーを提供する。  【解決手段】足裏材２は内編地、外編地、該内編地と外編地との間の熱接着フィルムによって構成し、さらに単独クッション部２４を内編地と外編地の間に介在させてから加熱加圧することで全体を一体化させ、小高い単独クッション部２４は面取りした三角形または円形状の平面を有し、その一辺が２５ｍｍ以上または直径３０ｍｍ以上であり、且つ高さが８ｍｍ以上であり、フットカバー１を着用して歩行した際に、単独クッション部２４が着用者の体重で圧縮されても数ｍｍの高さを維持し、これによって着用者の足の経穴「湧泉」に確実に当接する。【選択図】図２
0003224132.tif 000002
【実用新案登録請求の範囲】
【請求項１】
着用者の足裏部、爪先部、両側辺部および踵部を覆い、足を出し入れするための楕円形平面の上方開口部を設けたフットカバーであって、足裏材は内編地、外編地、該内編地と外編地との間の熱接着フィルムによって構成し、さらに単独クッション部を内編地と外編地の間に介在させてから加熱加圧することで全体を一体化させ、小高い単独クッション部は面取りした三角形または円形状の平面を有し、その一辺が２５ｍｍ以上または直径３０ｍｍ以上であり、且つ高さが８ｍｍ以上であり、フットカバーを着用して歩行した際に、単独クッション部が着用者の体重で圧縮されても数ｍｍの高さを維持し、これによって着用者の足の経穴「湧泉」に確実に当接する経穴刺激のフットカバー。
【請求項２】
小高い単独クッション部の中心は足裏材を縦方向に３等分して前約３分の１の個所に位置し、且つ横方向において足裏材のほぼ中間の個所に位置する請求項１記載のフットカバー。
【請求項３】
楕円形平面の上方開口部の周縁に沿って織物地の細幅テープを周縁内側に貼り付けることにより、フットカバーの内面の滑り止め性を高めるとともに、上方開口部の周縁が小高いクッション部によって拡がりすぎることを抑制する請求項１記載のフットカバー。
【請求項４】
単独クッション部は、ポリウレタン、軟質ゴムまたは発泡プラスチック材からなる請求項１記載のフットカバー。
【考案の詳細な説明】
【技術分野】
【０００１】
本考案は、単独クッション部が着用者の足の経穴「涌泉」に当接し、疲労回復および足の冷え、不眠などの防止効果を有する経穴刺激のフットカバーに関する。
【背景技術】
【０００２】
フットカバーは全体が薄い編地からなり、主に爪先部と踵部を覆う靴下の一種である。フットカバーはインナーソックス、カバーソックス、ソックスカバーとも称し、女性や若者において、ファッションとしてパンプスやスニーカーを素足で履くことが好まれている。フットカバーを履くと、通常、足裏部、爪先部、両側辺部および踵部だけを覆い、ソックスとは異なって足甲部の大半および足首部は露出することにより、着用時にパンプスやスニーカーからフットカバーの一部が外部から見えず、外観的には素足にパンプスやスニーカーを直接履いている感じになる。
【０００３】
フットカバーは、全体が薄い編地であるうえに履き口の上方開口部が大きくカットされているので、特殊な機能を付与するために構造を大きく変更することには比較的難しく、例えば、本出願人が提出した実用新案登録第３２１２９７９号が存在する程度である。これに対し、靴下や靴中敷に関しては構造を変更することは比較的容易であり、健康促進用靴下に関して実開平２−３４０４号、特開平１１−３５０２０４号および特開２００８−２７９１２５号、履物や靴中敷に関して実開平７−３７１７８号、５本指靴下に関して特開平１０−３７０４８号および実用新案登録第３２１２２３０号などが存在する。
【０００４】
実開平２−３４０４号は、短寸の靴下にも適用しており、磁石粉を含む小突起を単に足裏全面に分散させても血液の循環促進の効果は殆ど発生しない。靴下に関して血液循環を高める効果が殆どないという課題を解決するために、磁石片を有する突起を足裏の経穴に当接するように設置するという発明が既に数多く提案されている。例えば、実開平７−３７１７８号は履物や靴中敷に関して開示し、特開平１１−３５０２０４号および特開２００８−２７９１２５号、実用新案登録第３２１２２３０号は靴下に関して開示する。一方、特開平１０−３７０４８号の５本指靴下は、甲部分を編成する編糸に対して５本の指袋を編成する編糸の太さや本数を減少させ、実用新案登録第３２１２２３０号の５本指靴下は、足裏の一部を押圧するクッション材の押圧部材を設けている。
【先行技術文献】
【特許文献】
【０００５】
【特許文献１】実開平２−３４０４号明細書
【特許文献２】実開平７−３７１７８号公報
【特許文献３】特開平１０−３７０４８号公報
【特許文献４】特開平１１−３５０２０４号公報
【特許文献５】特開２００８−２７９１２５号公報
【特許文献６】実用新案登録第３２１２２３０号公報
【特許文献７】実用新案登録第３２１２９７９号公報
【考案の概要】
【考案が解決しようとする課題】
【０００６】
履物や靴中敷に関する実開平７−３７１７８号では、足裏の経穴に対応するように突起状の指圧部材を配置するけれども、着用者の足は靴やサンダルなどの履物内部と完全に一致しにくい。このため、実開平７−３７１７８号において、着用者の足が歩行時に履物の内部で微動し、指圧部材を足裏の経穴に常に正確に当接させることは実際上困難である。また、指圧部材はシリコンゴム製などであり、該指圧部材を中敷に接着していると使用時に中敷から剥がれやすい。特開平１０−３７０４８号の５本指靴下は、甲部分の編糸に対して各指袋を編成する編糸の太さや本数を減少させると、各足指が強く圧迫されずに履き心地を向上させても、疲労回復、足の冷え、不眠などの防止効果を有していない。
【０００７】
特開平１１−３５０２０４号および特開２００８−２７９１２５号では、靴下の内面において樹脂やゴム製の突起を設けているが、編地製の靴下は一般に伸縮性が高いため、該靴下に設けた突起は着用時や歩行時にズレやすく、足裏の経穴に常に正確に当接させることは困難である。編地製の靴下において樹脂やゴム製の突起を設けると、素材の感触や伸縮性などが異なるので着用者が違和感を感じやすく、前記と同様に、素材が異なることで突起が靴下から剥がれやすい。しかも、樹脂やゴム製の突起を編地製の靴下に取り付ける際に、複数個の突起の正確な位置決めおよび確実な接着作業が必要であり、余分な作業が加わってコスト高になる。
【０００８】
実用新案登録第３２１２２３０号の５本指靴下は、クッション材である押圧部材の中央位置を足裏の第２中足骨頭および第３中足骨頭とほぼ一致する部位に配置させる。この部位は、図１によると靴下の長手方向において着用者の足の経穴「涌泉」よりも多少前方に位置するため、外反母趾によって損なわれた横アーチの矯正に役立っても、疲労回復、足の冷え、不眠などの防止効果はないと判断できる。例えば、このクッション材はウレタン製であり、図２によると靴下本体に縫着されている。
【０００９】
本考案は、実用新案登録第３２１２９７９号と同様の上方開口部を有するフットカバーについて、指圧用突起を設けた従来の靴下や靴中敷における前記の問題点を克服するために提案されたものであり、着用者の足の経穴「湧泉」に確実に当接して経穴を刺激するとともに、単独クッション部が足裏材から剥離することがないフットカバーを提供することを目的としている。本考案の他の目的は、小高い単独クッション部を形成しても使用時に着用者の足から脱離することが少なく、履き心地が比較的良好であるフットカバーを提供することである。
【課題を解決するための手段】
【００１０】
本考案に係るフットカバーは、着用者の足裏部、爪先部、両側辺部および踵部を覆い、足を出し入れするための楕円形平面の上方開口部を設けている。本考案に係るフットカバーでは、足裏材は内編地、外編地、該内編地と外編地との間の熱接着フィルムによって構成し、さらに単独クッション部を内編地と外編地の間に介在させてから加熱加圧することで全体を一体化させ、小高い単独クッション部は面取りした三角形または円形状の平面を有し、その一辺が２５ｍｍ以上または直径２８ｍｍ以上であり、且つ高さが８ｍｍ以上であり、フットカバーを着用して歩行した際に、小高いクッション部が着用者の体重で圧縮されても数ｍｍの高さを維持し、これによって着用者の足の経穴「湧泉」に確実に当接する。
【００１１】
本考案に係るフットカバーにおいて、小高い単独クッション部の中心は縦方向に３等分して前約３分の１の個所に位置し、且つ横方向において足裏材のほぼ中間の個所に位置すると好ましい。楕円形平面の上方開口部の周縁に沿って織物地の細幅テープを周縁内側に貼り付けることにより、フットカバーの内面の滑り止め性を高めるとともに、上方開口部の周縁が小高いクッション部によって拡がりすぎることを抑制する。また、単独クッション部は、ポリウレタン、軟質ゴムまたは発泡プラスチック材からなると好ましい。
【考案の効果】
【００１２】
本考案に係るフットカバーでは、小高い単独クッション部を柔軟な足裏材の内編地と外編地との間に配置するので、着用者が歩行しても単独クッション部がカバー内部でズレることがなく、歩行時に足の経穴「湧泉」を常に刺激することにより、着用者の疲労を回復させて疲れを取り、肩のこりをほぐし、足の冷えや不眠症にも効果がある。本考案に係るフットカバーは、内編地と外編地の間に熱接着フィルムを挟んで積層した足裏材を用い、内編地と外編地の間に単独クッション部を挟むから、該単独クッション部が足裏材から脱離しない。
【００１３】
本考案に係るフットカバーにおいて、小高い単独クッション部は面取りした三角形または円形状の平面を有し、その一辺が２５ｍｍ以上および高さが８ｍｍ以上の大きさであっても、歩行時に着用者の体重で圧縮されると数ｍｍの高さに減ることにより、このような単独クッション部を設置しても着用時や歩行時に違和感を感じることが少なく、該フットカバーの履き心地は比較的良好である。単独クッション部は内編地の下側に位置し、該内編地だけが着用者の足と常に接触するので、着用者の足の感触は良好である。
【００１４】
本考案に係るフットカバーは、主に第２指と第３指が小高い単独クッション部と接触することで着用者の足が中央でわずかに湾曲することにより、足の横アーチおよび縦アーチを安定維持し、足裏アーチが安定することで足をしっかり踏ん張ることができ、歩行時に足への衝撃が緩和されるため、膝痛や股関節痛の強い痛みを緩和できる。本考案のフットカバーは、痛みの緩和だけでなく、すっきりと美しい直立姿勢の達成および安定した歩行ができることにより、身体の首部や肩部などの疲れも軽減する。
【図面の簡単な説明】
【００１５】
【図１】本考案に係るフットカバーを示す全体斜視図である。
【図２】本考案のフットカバーの折り畳んだ状態を示す平面図である。
【図３】図２のＡ−Ａ線に沿って切断した足裏材の断面図である。
【図４】足裏材を製造する前の各素材の配置を示す展開側面図である。
【図５】単独クッション部の変形例を拡大して示す足裏材の部分断面図である。
【考案を実施するための形態】
【００１６】
本考案に係るフットカバー１は、図１と図２に示すように、足裏材２および帯状の足周囲部３からなり、該足周囲部は爪先部５、両側辺部６，６および踵周辺部７を包含する。一般に、帯状の足周囲部３は、縫着線８で筒状に縫製してから、足裏材２の周囲に足周囲部３の下周辺を環状に縫着線１０で縫着する。このフットカバーは、図１に示すような商品態様が一般的であるけれども、該足周囲部を爪先部５、両側辺部６，６および踵周辺部７ごとに分割して編成した後に縫着して全体を形成してもよい。
【００１７】
フットカバー１は、足裏材２および足周囲部３ともに、綿糸、ポリエステル繊維、アセテート繊維、ナイロン繊維、アクリル繊維、ポリウレタン繊維、綿糸とポリエステル繊維との混紡繊維などの単数または複数の繊維糸からなり、全体が薄い一体編地によって高い伸縮性を備え、細いポリエステル繊維やナイロンでポリウレタン糸の芯糸をカバーリングした被覆弾性糸またはゴム糸を使用してもよい。また、フットカバー１は、ナイロンとポリウレタンの混合素材のような伸縮性を備えた薄い編地からなり、足周囲部３を丸編み機で浅い筒状に一体的に編成してもよい。
【００１８】
フットカバー１は、着用者が足１２に履いた際には、図１に示すような立体形状になり、非着用状態において支持台紙（図示しない）を入れて折り畳むと、図２に示すようにほぼ平らになる。着用時のフットカバー１は、図１に示すように、着用者の足１２の足裏部、爪先部、両側辺部および踵部を覆い、足甲部の大半および足首部は露出する。フットカバー１は、着用時にパンプスやスニーカーなどの靴から露出しないように、足周囲部３の周縁１４によって構成される上方開口部１６が大きく開いている。
【００１９】
フットカバー１で用いる足裏材２は、図２に示すような足形平面を有し、図４に示すように、内編地１８と外編地２０の間に１枚または２枚の熱接着フィルム２２を挟んで高温で加熱加圧することで全体を積層一体化し、積層前または積層後に適宜の足形に裁断すればよい。内編地１８と外編地２０は、ナイロンとポリウレタンの混合編地であっても、さらに綿を加えて感触性を良くすることも可能であり、他の素材の編地を使用してもよい。着用者の肌と接する内編地１８は、感触性の良い綿または綿混編地であると好ましい。また、熱接着フィルム２２は、一般にポリウレタン製であるけれども、伸縮性が多少低い他のプラスチックフィルムも使用可能である。
【００２０】
小高い単独クッション部２４は、内編地１８と外編地２０の間に挟着され、足裏材２の表面において相当に大きい面積と高さを有する。単独クッション部２４は、ポリウレタン、柔軟なゴムまたは軟質プラスチック製であり、高さが８ｍｍ以上好ましくは１０ｍｍ以上であり、着用者の体重で圧縮されても数ｍｍの高さを維持するので高い指圧効果を付与でき、圧縮時に数ｍｍの高さに減ると着用時や歩行時に違和感を感じることが少ない。この単独クッション部には、磁性粉末をポリウレタン樹脂などの中に混入してから成形しても、小さな磁石片をクッション部の表面に貼り付けることも可能である。
【００２１】
単独クッション部２４は、通常、面取りした三角形（図２）または円形（図５）状の平面を有し、この平面形状に類似する上辺と下辺で曲率半径が異なる楕円形、俵形、多角形平面などを包含する。三角形状平面であるならばその一辺が２５ｍｍ以上の長さであり、または円形状平面であるならばその直径が２８ｍｍ以上であり、一辺が２５ｍｍ以上または直径２８ｍｍ以上であってその表面中央がほぼ平坦に近くなることにより、着用者の足長さに多少差異があっても、フットカバー１を着用すると単独クッション部２４は足の経穴「湧泉」に当接できる。
【００２２】
単独クッション部２４の縦中心は、足の経穴「湧泉」に当接させるために、図２に示すように足裏材２を縦方向に３等分して前約３分の１の個所に位置させると好ましく、足長さには個人差があるのでこの位置は多少上下にズレていてもよい。また、単独クッション部２４の横中心は、経穴「湧泉」の位置は足を内方へ曲げた際に足裏でいちばん凹んでいる個所に相当するので、その位置とほぼ対応する足裏材２の横方向においてほぼ中間の個所に位置させ、足幅には個人差があるのでこの位置も多少左右にズレていてもよい。
【００２３】
足裏材２の製造に関して、図４に例示するように２枚の熱接着フィルム２２，２２’を使用すると、単独クッション部２４の固定は容易であり、あらかじめ外編地２０上の熱接着フィルム２２’を加熱軟化させ、該フィルム上に単独クッション部２４を仮止めしてから、全体を高温で加熱加圧すればよい。熱接着フィルム２２が１枚であれば、内編地１８または外編地２０と単独クッション部２４の表面との間が不接着であってもよく、該クッション部の下表面または上表面に接着剤を塗布や貼着してから熱接着フィルム２２を接着してもよい。
【００２４】
前記のように、足裏材２では内編地１８と外編地２０の間に小高い単独クッション部２４を配置している。編地１８，２０を含む全体を積層一体化することにより、足裏材２において単独クッション部２４が固定され、該単独クッション部は内編地１８の下側に位置する。この結果、着用者が歩行しても単独クッション部２４は足裏材の内部でズレることがなく、歩行時に足の経穴「湧泉」を常に刺激する。この際に、単独クッション部２４に磁性粉末を混入するかまたは磁石片を貼り付けておけば、足の経穴「湧泉」を刺激する効果を高めることになる。
【００２５】
フットカバー１において、帯状の足周囲部３は、通常、伸縮性を備えた薄い編地で編成する。足周囲部３には、上方開口部１６の周縁１４の全周に沿って細幅テープ２６（図１）を内側に接着剤で貼り付ける。細幅テープ２６は、通常、同系色の織物地からなり、縦方向に多少の伸縮性を有するけれども編地ほどの高い伸縮性はない。細幅テープ２６を裏張りすることにより、フットカバー１の内表面の滑り止め性を高めるとともに、上方開口部１６の周縁１４が単独クッション部２４によって拡がりすぎることを抑制し、カバー１の着用後に脱げることを防止する。
【００２６】
フットカバー１の踵周辺部７には、テープ２６と同じ織物地の中膨れ横長片２８を上方開口部１６の周縁１４に接してカバー内側に接着剤で貼り付け、さらに該横長片の上に横長の樹脂滑り止め部３０を塗布する。樹脂滑り止め部３０は、シリコーン樹脂または他の粘着性樹脂からなり、シルクスクリーン機による厚盛り印刷、凸版や凹版印刷機による印刷、テープ状素材の熱融着などによって形成すればよい。樹脂部滑り止め部３０によって着用者の足１２の踵部との密着性を高め、フットカバー１が歩行時に足１２から脱離することを防止する。
【００２７】
フットカバー１は、中高の単独クッション部２４を設置することにより、着用後に単独クッション部２４が着用者の経穴「湧泉」を常に刺激することにより、疲労を回復させ且つ腰痛を緩和し、肩のこりをほぐし、足の冷えや不眠症にも効果がある。フットカバー１は、内編地１８と外編地２０の間に単独クッション部２４を挟んでいるから、該単独クッション部は足裏材２から脱離することは起こらない。
【００２８】
フットカバー１では、小高い単独クッション部が主に第２指と第３指との間に位置して足裏と接触することで足を中央でわずかに湾曲させ、足の横アーチおよび縦アーチを安定して維持することにより、足裏アーチが安定することで足をしっかり踏ん張ることができて歩行時に足への衝撃が緩和されるため、膝痛や股関節痛の強い痛みを緩和できる。フットカバー１において、細幅テープ２６の裏張りによって上方開口部１６の周縁１４が拡がりすぎることを抑制し、樹脂部滑り止め部３０によって着用者の足１２の踵部との密着性を高めるので、フットカバー１が歩行時に足１２から脱離し、単独クッション部２４が着用後に経穴「湧泉」からズレることもない。
【実施例１】
【００２９】
次に、本考案を実施例に基づいて説明するが、本考案は実施例によって限定されるものではない。フットカバー１の足裏材２を製造するために、図４に示すように綿編地の内編地１８、ナイロン編地の外編地２０、単独クッション部２４および２枚の熱接着ポリウレタンフィルム２２，２２’を用いる。足周囲部３は、縦編み機によって編成された透孔組織を有する細長い模様編地からなり、この編地を縫着線８で筒状に縫製してから、該足周囲部の下周辺を足裏材２の周囲に環状に縫着線１０で縫着する。
【００３０】
単独クッション部２４は、図２に示すように面取りした三角形状の平面を有し、三角形状平面の一辺が３０ｍｍの長さである。一辺が３０ｍｍであってもその表面中央がほぼ平坦に近くなり、高さが１０ｍｍであることにより、着用者の足長さに多少差異があっても、フットカバー１を着用すると単独クッション部２４は足の経穴「湧泉」に当接する。
【００３１】
三角形状平面の単独クッション部２４は柔軟なポリウレタン製であり、カバーを着用した際に着用者の足の経穴「湧泉」に当接させるように、該単独クッション部の縦中心は、足裏材２を縦方向に３等分して前約３分の１の個所に位置させる。また、単独クッション部２４の横中心は、経穴「湧泉」の位置は足を内方へ曲げた際に足裏でいちばん凹んでいる個所に相当するので、その位置とほぼ対応する足裏材２の横方向においてほぼ中間の個所に位置させる。
【００３２】
足裏材２を製造するには、あらかじめ外編地２０および下方のポリウレタンフィルム２２’を重ねて加熱軟化させ、単独クッション部２４を該フィルム上に押し付けて仮止めする。次に、上方のポリウレタンフィルム２２および内編地１８を重ね合わせてから、プレスによって高温で加熱加圧することで全体を積層一体化する。内編地１８、外編地２０および熱接着ポリウレタンフィルム２２，２２’が長寸で連続加工する場合には、前記のプレスにおいて、同時に足形平面に打ち抜けばよい。この結果、足裏材２では、内編地１８と外編地２０の間に単独クッション部２４が配置される。
【００３３】
フットカバー１を製造する際には、足裏材２および帯状の足周囲部３を用いる。模様編地の足周囲部３には、上方開口部１６の周縁１４に沿って織物地の細幅テープ２６を内側に貼り付ける。また、踵周辺部７において、同じ織物地の長膨れ横長片２８を上方開口部１６の周縁に接してカバー内側に貼り付け、該半楕円片の上に横長の樹脂滑り止め部３０を塗布する。帯状の足周囲部３は、縫着線８で筒状に縫製してから、その下周辺を足裏材２の周囲に環状に縫着線１０で縫着する。
【００３４】
縫製完了後のフットカバー１は、中高の単独クッション部２４を有し、着用時に単独クッション部２４が足１２の経穴「湧泉」を常に接触する。単独クッション部２４は、歩行時に着用者の体重で圧縮されても数ｍｍの高さを維持することにより、経穴「湧泉」を確実に刺激することで疲労を回復させるとともに腰痛を緩和し、体力や気力を高めて体全体を元気にする。フットカバー１は、内編地１８と外編地２０の間に単独クッション部２４を挟んでいるから、単独クッション部が足裏材２から脱離することは起こらない。
【実施例２】
【００３５】
フットカバーの足裏材２を製造するために、実施例１と同様に綿編地の内編地１８、ナイロン編地の外編地２０、単独クッション部３２および２枚の熱接着ポリウレタンフィルム２２，２２’を用いる。足周囲部３は、パンティストッキングなどに用いるナイロンとポリウレタンの混合素材であり、丸編み機で浅い筒状に一体的に編成する。
【００３６】
図５に示す円形平面の単独クッション部３２は、カバーを着用した際に着用者の足の経穴「湧泉」に当接させるように、該単独クッション部の中心は、足裏材２を縦方向に３等分して前約３分の１の個所に位置させる。また、単独クッション部３２の中心は、経穴「湧泉」の位置は足を内方へ曲げた際に足裏でいちばん凹んでいる個所に相当するので、その位置とほぼ対応する足裏材２の横方向においてほぼ中間の個所に位置させる。
【００３７】
単独クッション部３２は、直径が３０ｍｍの円形状の平面を有し、直径３０ｍｍであってその表面中央がほぼ平坦に近くなり、高さが１０ｍｍであることにより、着用者の足長さに多少差異があっても、フットカバー１を着用すると単独クッション部３２は足の経穴「湧泉」に常に当接する。単独クッション部３２は、歩行時に着用者の体重で圧縮されても数ｍｍの高さを維持することにより、経穴「湧泉」を確実に刺激することで疲労を回復させる。
【符号の説明】
【００３８】
１  フットカバー  
２  足裏材  
３  足周囲部
１４  周縁
１６  上方開口部  
１８  内編地
２０  外編地
２２  熱接着フィルム
２４  単独クッション部
２６  細幅テープ
【図１】
0003224132.tif 000003
【図２】
0003224132.tif 000004
【図３】
0003224132.tif 000005
【図４】
0003224132.tif 000006
【図５】
0003224132.tif 000007